(57)【要約】  本発明は、タグ付き掘削エレメントに関し、より詳細には排他用バケットのタグ付きシュラウド(shroud)または歯(tooth)に関する。本発明はまた、タグ付き掘削エレメントを製造する方法、およびタグ付き掘削エレメントを検出する方法に関する。タグ付き掘削エレメントは、掘削エレメント本体と、掘削エレメント本体に固定可能なタグ付けデバイスとを含む。タグ付き掘削エレメントは、タグ付けデバイスが放射性供給源を含むことを特徴とする。
2019512055.tif 000002
【特許請求の範囲】
【請求項１】
タグ付き掘削エレメントであって、
掘削エレメント本体と、
前記掘削エレメント本体に固定可能なタグ付けデバイスと、
を含んでなり、前記タグ付けデバイスが放射性供給源を含むことを特徴とするタグ付き掘削エレメント。
【請求項２】
前記タグ付けデバイスが、密封された放射性供給源の形態であることを特徴とする、請求項１に記載のタグ付き掘削エレメント。
【請求項３】
密封された前記放射性供給源が、密封された金属製ハウジング内に封入された放射性物質を含んでなることを特徴とする、請求項２に記載のタグ付き掘削エレメント。
【請求項４】
密封された前記金属性ハウジングが、前記掘削エレメント内に設けられた開口部の内側に配置可能であることを特徴とする、請求項３に記載のタグ付き掘削エレメント。
【請求項５】
前記放射性供給源が１５０日未満、好ましくは１２０日未満、より好ましくは９０日未満の半減期を有することを特徴とする、請求項１〜４のいずれか一項に記載のタグ付き掘削エレメント。
【請求項６】
前記放射性供給源が４０日を超える、好ましくは６０日を超える、より好ましくは８０日を超える半減期を有することを特徴とする、請求項１〜５のいずれか一項に記載のタグ付き掘削エレメント。
【請求項７】
前記放射性供給源が放射性金属であることを特徴とする、請求項１〜６のいずれか一項に記載のタグ付き掘削エレメント。
【請求項８】
前記放射性供給源が、３００ＫｅＶを超える、好ましくは６００ＫｅＶを超える、より好ましくは８５０ＫｅＶを超えるエネルギーレベルのガンマ線を放出することを特徴とする、請求項１〜７のいずれか一項に記載のタグ付き掘削エレメント。
【請求項９】
前記放射性供給源が、２０００ＫｅＶ未満、好ましくは１７００ＫｅＶ未満、より好ましくは１５００ＫｅＶ未満のエネルギーレベルのガンマ線を放出することを特徴とする、請求項１〜８のいずれか一項に記載のタグ付き掘削エレメント。
【請求項１０】
前記放射性供給源が、スカンジウム（Ｓｃ）、タンタル（Ｔａ）、テルビウム（Ｔｂ）およびアンチモン（Ｓｂ）を含むグループから選択されることを特徴とする、請求項１〜９のいずれか一項に記載のタグ付き掘削エレメント。
【請求項１１】
前記放射性供給源が、元素スカンジウム（Ｓｃ）の放射性同位元素であるスカンジウム４６（４６Ｓｃ）であることを特徴とする、請求項１〜１０のいずれか一項に記載のタグ付き掘削エレメント。
【請求項１２】
前記掘削エレメントが、掘削バケットのシュラウドまたは歯であることを特徴とする、請求項１〜１１のいずれか一項に記載のタグ付き掘削エレメント。
【請求項１３】
タグ付き掘削エレメントを製造する方法であって、
掘削エレメント本体を提供するステップと、
放射性供給源を提供するステップと、
放射性供給源を前記掘削エレメント本体に固定するステップと、
を含んでなることを特徴とする方法。
【請求項１４】
前記タグ付けデバイスが、密封された放射性供給源の形態であることを特徴とする、請求項１３に記載の方法。
【請求項１５】
密封された前記放射性供給源が、密封された金属ハウジングに封入された放射性物質を含んでなることを特徴とする、請求項１４に記載の方法。
【請求項１６】
密封された前記金属ハウジングが、前記掘削エレメント内に設けられた開口部の内側に配置可能であることを特徴とする、請求項１５に記載の方法。
【請求項１７】
前記放射性供給源が１５０日未満、好ましくは１２０日未満、より好ましくは９０日未満の半減期を有することを特徴とする、請求項１３〜１６のいずれか一項に記載の方法。
【請求項１８】
前記放射性供給源が４０日を超える、好ましくは６０日を超える、より好ましくは８０日を超える半減期を有することを特徴とする、請求項１３〜１７のいずれか一項に記載の方法。
【請求項１９】
前記放射性供給源が放射性金属であることを特徴とする、請求項１３〜１８のいずれか一項に記載の方法。
【請求項２０】
前記放射性供給源が、３００ＫｅＶを超える、好ましくは６００ＫｅＶを超える、より好ましくは８５０ＫｅＶを超えるエネルギーレベルのガンマ線を放出することを特徴とする、請求項１３〜１９のいずれか一項に記載の方法。
【請求項２１】
前記放射性供給源が、２０００ＫｅＶ未満、好ましくは１７００ＫｅＶ未満、より好ましくは１５００ＫｅＶ未満のエネルギーレベルのガンマ線を放出することを特徴とする、請求項１３〜２０のいずれか一項に記載の方法。
【請求項２２】
前記放射性供給源が、スカンジウム（Ｓｃ）、タンタル（Ｔａ）、テルビウム（Ｔｂ）およびアンチモン（Ｓｂ）を含むグループから選択されることを特徴とする、請求項１３〜２１のいずれか一項に記載の方法。
【請求項２３】
前記放射性供給源が元素スカンジウム（Ｓｃ）の放射性同位体であるスカンジウム４６（４６Ｓｃ）であることを特徴とする、請求項１３〜２２のいずれか一項に記載の方法。
【請求項２４】
前記掘削エレメントが掘削バケットのシュラウドまたは歯であることを特徴とする、請求項１３〜２３のいずれか一項に記載の方法。
【請求項２５】
掘削エレメントの変位を検出する方法であって、
放射性供給源でタグ付けされた掘削エレメントを設けるステップと、
放射線検出器を設けるステップと、
前記掘削エレメントが前記放射線検出器に対して変位したときの放射線の変化を検出するステップと、
を含んでなることを特徴とする方法。
【請求項２６】
前記放射線検出器は、前記掘削エレメントが固定された構造物の一部に取り付けられ、前記掘削エレメントが前記構造物から離れるときに前記放射線検出器が放射線の低下を検出することを特徴とする、請求項２５に記載の方法。
【請求項２７】
前記構造物が掘削装置の本体であることを特徴とする、請求項２６に記載の方法。
【請求項２８】
１つまたは複数の放射線検出器が前記掘削装置に設けられていることを特徴とする、請求項２７に記載の方法。
【請求項２９】
掘削された物質が移動する経路に隣接する１つ以上の場所の構造物に前記放射線検出器が取り付けられ、前記掘削エレメントが掘削された前記物質と一緒に移動するときに前記放射線検出器が放射線の増加を検出することを特徴とする、請求項２５に記載の方法。
【請求項３０】
前記構造物が、掘削された前記物質が移動するガントリパストであることを特徴とする請求項２９に記載の方法。
【請求項３１】
掘削エレメントの変位の検出に使用される放射性供給源の使用方法。
【請求項３２】
前記放射性供給源が、スカンジウム（Ｓｃ）、タンタル（Ｔａ）、テルビウム（Ｔｂ）およびアンチモン（Ｓｂ）を含むグループから選択されることを特徴とする、請求項３１に記載の使用方法。
【請求項３３】
前記放射性供給源が、元素スカンジウム（Ｓｃ）の放射性同位元素であるスカンジウム４６（４６Ｓｃ）であることを特徴とする、請求項３１に記載の使用方法。
【発明の詳細な説明】
【技術分野】
【０００１】
本発明は、タグ付き掘削エレメントに関し、より詳細に、但し排他的ではなく、掘削用バケットのタグ付きシュラウド(shroud)または歯(tooth)に関する。本発明はまた、タグ付き掘削エレメントを製造する方法、およびタグ付き掘削エレメントを検出する方法に関する。
【背景技術】
【０００２】
多くの形態の掘削装置および機械は、鉱業および建設産業において知られており、大部分の実施形態では、それらは、典型的には、変位可能なシャーシまたは構造体に固定される何らかの種類のグラウンド係合具を備える。掘削用のバケット(bucket)またはスクープ(scoop)は、産業界で頻繁に遭遇するグラウンド係合具の一種であり、掘削される媒体が閉鎖された容器に出入りすることができるオープンサイドを有する部分的に囲まれた容器の形態である。オープンサイドは、刃先から延び、硬質材料を係合して砕くのに適した複数の離間した歯を備えた刃先で典型的には終結する。
【０００３】
間隔を置いて配置された歯の間の刃先の露出部分はシュラウドによって覆われているので、刃先、すなわちバケット本体の磨耗を避けることができる。したがって、歯およびシュラウドは、バケットまたはスクープの本体の寿命を延ばすために、バケットまたはスクープの実際の本体を摩耗から保護する交換可能な構成要素（コンポーネント）である。シュラウドと歯の寿命は用途によって異なり、８〜１２週間の寿命が比較的一般的である。
【０００４】
鉱業（マイニング）環境、特にオープンキャスト鉱業で頻繁に遭遇する問題は、鉱石処理中に掘削機のバケットまたはスクープの歯および／またはシュラウドが破損することである。歯および／またはシュラウドは、その後、下流の破砕プラントに閉塞または損傷させ、重大な維持コストおよび速度低下をもたらす可能性がある。さらに、貯蔵された機械的エネルギーにより、シュラウドがその経路上の対象物および人に対し自由に撃ち込むことを可能にするような、重大な安全上の危険が破砕プラントに詰まった金属シュラウドおよび歯の除去に伴う。
【０００５】
この問題は、歯およびシュラウドが動作する環境が、ほこりおよび他の視覚的障害の存在に起因して低い可視性と関連しているという事実によって悪化する。さらに、操作の性質上、歯およびシュラウドは長期間にわたって鉱石で覆われ、歯およびシュラウドの目視検査の有効性が低下する。シュラウドの紛失は、シュラウドが掘削用バケットまたはスクープの刃先から突出して立っていないため、さらに目立たない。従って、オペレータの意識向上と警戒感の向上は、この問題に対する十分な解決策ではない。
【０００６】
シャベル(shovel)の歯とシュラウドの損失を検出するためにいくつかの方法が提案されているが、既存の方法はすべて満足のいく方法で問題に対処できていない。詳細は異なるが、一般的な欠点は、提案された方法が、シャベルチップが使用中（典型的には８〜１２週間）である限り、地球を動かす環境の厳しさに耐えるほど頑丈ではないか、十分に有効ではない。さらに、検出装置（例えば、ＲＦＩＤ検出）は、効果を発揮させるためにシュラウドと歯の近くに配置することはできない。いくつかの解決策は、歯またはシュラウドが失われたときに視覚的または聴覚的手がかりをさらに生成するが、失われた歯またはシュラウドの位置決めに役立たないのは、実際に歯またはシュラウドにタグを付けることなく、単にこれらの歯またはシュラウドの喪失を示すだけだからである。
【０００７】
したがって、本発明の目的は、上記欠点を少なくとも部分的に軽減するタグ付き掘削エレメントを提供することである。
【０００８】
本発明の別の目的は、タグ付き掘削エレメントを検出するための方法およびシステムを提供することである。
【０００９】
また、本発明の目的は、タグ付き掘削エレメントを製造する方法を提供することである。
【発明の概要】
【課題を解決するための手段】
【００１０】
本発明によれば、
掘削エレメント本体と、
掘削エレメント本体に固定可能なタグ付けデバイスと、
タグ付けデバイスが放射性供給源(radioactive source)を含んでなることを特徴とするタグ付き掘削エレメントが提供される。
【００１１】
タグ付けデバイスは、密封された放射性供給源の形態で構成される。
【００１２】
より詳細には、密封された放射性供給源は、密封された金属ハウジングに封入された放射性物質を含み得る。
【００１３】
タグ付けデバイス、より詳細には密封された金属ハウジングは、好ましくは、掘削エレメント内に設けられた開口部(aperture)の内側に配置可能である。
【００１４】
放射性供給源が１５０日未満、好ましくは１２０日未満、より好ましくは９０日未満の半減期を有することがさらに求められる。
【００１５】
また、放射性供給源が４０日を超える、好ましくは６０日を超える、より好ましくは８０日を超える半減期を有することも求められる。
【００１６】
好ましい実施形態において、放射性供給源は放射性金属である。
【００１７】
好ましい実施形態では、放射性供給源は、３００ＫｅＶを超える、好ましくは６００ＫｅＶを超える、より好ましくは８５０ＫｅＶを超えるエネルギーレベルのガンマ線を放出する。
【００１８】
好ましい実施形態では、放射性供給源は、２０００ＫｅＶ未満、好ましくは１７００ＫｅＶ未満、より好ましくは１５００ＫｅＶ未満のエネルギーレベルのガンマ線を放出する。
【００１９】
放射性供給源はスカンジウム（Ｓｃ）、タンタル（Ｔａ）、テルビウム（Ｔｂ）およびアンチモン（Ｓｂ）を含むグループから選択することができる。
【００２０】
好ましい実施形態では、放射性供給源が元素スカンジウム（Ｓｃ）の放射性同位体であり、より詳細には、同位体スカンジウム４６（４６Ｓｃ）であることが求められる。
【００２１】
また、放射性供給源が、タンタル１８２（１８２Ｔａ）、テルビウム１６０（１６０Ｔｂ）およびアンチモン１２４（１２４Ｓｂ）を含む放射性同位体のグループから選択されることも求められる。
【００２２】
掘削エレメントは掘削バケットのシュラウドまたは歯として提供される。
【００２３】
本発明のさらなる態様によれば、タグ付き掘削エレメントを製造する方法が提供され、この方法は、
- 掘削エレメントを設けるステップと、
- 放射性供給源を設けるステップと、
- 放射性供給源を掘削エレメントに固定するステップと、
を含んでなる。
【００２４】
タグ付けデバイスは、密封された放射性供給源の形態で提供される。
【００２５】
より詳細には、密封された放射性供給源は、密封された金属ハウジングに封入された放射性物質を含み得る。
【００２６】
タグ付けデバイスは、好ましくは、掘削エレメント内に設けられた開口部の内部に配置可能である。
【００２７】
放射性供給源が１５０日未満、好ましくは１２０日未満、より好ましくは９０日未満の半減期を有することがさらに求められる。
【００２８】
また、放射性供給源が４０日を超える、好ましくは６０日を超える、より好ましくは８０日を超える半減期を有することも求められる。
【００２９】
好ましい実施形態において、放射性供給源は放射性金属である。
【００３０】
好ましい実施形態では、放射性供給源は、３００ＫｅＶを超える、好ましくは６００ＫｅＶを超える、より好ましくは８５０ＫｅＶを超えるエネルギーレベルのガンマ線を放出する。
【００３１】
好ましい実施形態では、放射性供給源は、２０００ＫｅＶ未満、好ましくは１７００ＫｅＶ未満、より好ましくは１５００ＫｅＶ未満のエネルギーレベルのガンマ線を放出する。
【００３２】
放射性供給源はスカンジウム（Ｓｃ）、タンタル（Ｔａ）、テルビウム（Ｔｂ）およびアンチモン（Ｓｂ）を含むグループから選択することができる。
【００３３】
好ましい実施形態では、放射性供給源が元素スカンジウム（Ｓｃ）の放射性同位体であり、より詳細には、同位体スカンジウム４６（４６Ｓｃ）であることが求められる。
【００３４】
また、放射性供給源が、タンタル１８２（１８２Ｔａ）、テルビウム１６０（１６０Ｔｂ）およびアンチモン１２４（１２４Ｓｂ）を含む放射性同位体のグループから選択されることも求められる。
【００３５】
掘削エレメントは掘削バケットのシュラウドまたは歯として提供される。
【００３６】
本発明のさらに別の態様によれば、掘削エレメントの変位を検出する方法が提供され、この方法は、
- 放射性供給源でタグ付けされた掘削エレメントを設けるステップと、
- 放射線検出器を設けるステップと、
- 掘削エレメントが放射線検出器に対して変位したときの放射線の変化を検出するステップと、
を含んでなる。
【００３７】
放射線検出器は、掘削バケットが固定された構造物の一部に取り付けられ、放射線検出器は、掘削エレメントが掘削バケットから離れるときに放射線の低下を検出することができる。
【００３８】
構造物は、掘削装置の本体であってもよい。
【００３９】
掘削装置には１つまたは複数の放射線検出器が設けられる。
【００４０】
放射線検出器は、掘削された物質が移動するルートに隣接する１つ以上の位置の構造物に取り付けられてもよく、放射線検出器は、掘削エレメントが掘削された物質と共に移動するときに放射線の増加を検出し得る。
【００４１】
この構造物は、掘削された物質が移動するガントリパスト(gantry past)であってもよい。
【００４２】
放射性物質でタグ付けされた掘削エレメントを設けるステップは、掘削エレメントに密封された放射性供給源を固定するステップを含み得る。
【００４３】
掘削バケットに固定された全ての掘削エレメントが放射性供給源でタグ付けされるように提供される。
【００４４】
本発明のさらなる態様によれば、掘削エレメントの変位の検出において放射性供給源の使用方法が提供される。
【００４５】
放射性供給源はスカンジウム（Ｓｃ）、タンタル（Ｔａ）、テルビウム（Ｔｂ）およびアンチモン（Ｓｂ）を含むグループから選択することができる。
【００４６】
好ましい実施形態では、放射性供給源が元素スカンジウム（Ｓｃ）の放射性同位体であり、より詳細には、同位体スカンジウム４６（４６Ｓｃ）であることが求められる。
【００４７】
また、放射性供給源が、タンタル１８２（１８２Ｔａ）、テルビウム１６０（１６０Ｔｂ）およびアンチモン１２４（１２４Ｓｂ）を含む放射性同位体のグループから選択されることも求められる。
【００４８】
掘削エレメントが掘削バケットのシュラウドまたは歯として提供される。
【００４９】
本発明の別の態様によれば、タグ付き掘削エレメントで使用するために密封された放射性供給源が提供される。
【図面の簡単な説明】
【００５０】
本発明の好ましい実施形態を非限定的な例として、添付図面を参照して説明する。
【００５１】
【図１】掘削装置の掘削バケットの斜視図であって、掘削エレメントが掘削バケットに解放可能に固定されている。
【図２】本発明の一実施形態による掘削エレメントの概略図である。
【図３】マイニング作業における監視ポイントを示す概略図である。
【発明を実施するための形態】
【００５２】
本発明の任意の実施形態が詳細に説明される前に、本発明は、その適用において、以下の説明に記載されるかまたは以下の図面に示される構成の詳細および構成要素の配置に限定されないことを理解されたい。本発明は、他の実施形態によって、様々な方法で実施されるか、実施されることが可能である。また、本明細書で使用される表現および用語は、説明のためのものであって、限定的であると見なされるべきではないことを理解されたい。本明細書中の「含む」、「含んでなる」または「有する」およびそれらの変形は、その後に列挙されるアイテムおよびその等価物ならびに追加のアイテムを含むことを意味している。
【００５３】
本明細書および添付した特許請求の範囲の目的のために、他に示さない限り、明細書および特許請求の範囲で使用される量、パーセンテージまたは割合、および他の数値を表す全ての数字は、それらがそうでない限り、「約」という用語で示されるように変化し得ると理解されたい。したがって、反対のことが示されていない限り、以下の明細書および添付の特許請求の範囲に記載される数値パラメータは、本開示によって得ようとする所望の特性に応じて変化し得る近似値である。
【００５４】
本明細書および添付の特許請求の範囲で使用されるように、単数形「a」、「an」および「the」および任意の単語の任意の単数形は、明示的かつ明白に１つの指示対象に限定されない限り、複数の指示対象を含む。本明細書で使用される用語「含む」およびその文法上の変形は、リスト内のアイテムの列挙が、リストされたアイテムに置換または追加可能な他の同様のアイテムを除外しないように限定されるものではない。
【００５５】
本発明の一実施形態による掘削エレメントの非限定的な例を、図１および図２を参照して説明する。最初から、掘削エレメント１０は、多くの異なる掘削またはグラウンド移動機械および／または装置を含む。重要な点は、掘削エレメントが、通常、使用中に掘削および／または移動する媒体に係合し、したがって、相当量の機械的摩耗を被る対象物であることである。この例では、掘削エレメントは、掘削バケットまたはスクープのシュラウドであり、バケットまたはスクープは、掘削機または機械ショベルの一部である。掘削バケットまたはスクープの歯にも同様の設計および方法論を適用することができる。
【００５６】
掘削機バケット１０は、ベース１４と、ベース１４の対向する側縁から横方向に延びる２つの対向する側壁と、ベース１４の後縁から横方向に延びる後壁１３と、を含んでなる。後壁１３は２つの側壁１２の端部の間に延在し、変位する材料を受け入れるのに適した容器１１を画定する。掘削機バケット１０の操作可能な前端は刃先１６で終端し、変位する材料が容器１１に出入りすることができる容器１１のオープンサイドを画定する。
【００５７】
複数のグラウンド係合歯２０が刃先１６から突出しており、刃先１６に解放可能に固定されている。歯２０は等間隔で離間し、保護シュラウド３０は、離間した歯２０の間の刃先１６に設けられている。したがって、刃先１６を画定するベースプレート１４の端部は、移動されるべき材料に直接露出されず、歯２０およびシュラウド３０によって覆われる。歯２０およびシュラウド３０は長期に消耗し、これらは容易に置き換えることができる。実際の掘削機バケット本体を交換または修理することははるかに困難であって、費用がかかり、かつ時間がかかるであろう。したがって、歯２０およびシュラウド３０は、掘削機バケット１０の重要な構成要素である。
【００５８】
本発明の一実施形態によれば、密封された供給源５０の形態のタグ付けデバイスが、シュラウドが放射線検出器（図示せず）によって検出可能であるようにシュラウド３０に固定される。タグ付けデバイスはまた、掘削機バケット１０の歯２０に固定されてもよいが、歯２０が刃先１６から突出する程度により目に見えるため、あまり重要ではないことに留意すべきである。欠けている歯に気づいたオペレータの見込みの方が、欠けているシュラウドに気づいているよりもはるかに高い。
【００５９】
放射性供給源は、密封容器５０内に収容され、シュラウド３０（または他の掘削エレメント）に多くの異なる構成で固定され得る。例えば、シュラウド３０の下脚部３２に開口部４０を形成することができ、次いで、供給源５０を開口部の内部に嵌め込むことができる。より詳細には、開口部は、シュラウド３０の下脚部３２の上面に、後縁部から約３０ｍｍ、および深さ約２０ｍｍに（例えば、ドリルによる穴あけまたは鋳造または鍛造中に形成）形成され得る。開口部の内側には、雌ねじ４１.１のスリーブ／カートリッジ４１が固定され、密封された供給源（ハウジングが相補的なねじ５１である）がスリーブにねじ込まれる。これにより、密封された供給源の簡単な取り付けおよび取り外しが可能になる。密封された供給源が下脚部３２に配置されることが予見されるが、供給源がシュラウド３０のノーズ３３または上脚部３１に配置されることも可能である。
【００６０】
図３に示すように、ある特定の実施形態では、放射性供給源の検出は、採掘プロセス１００の間に少なくとも３つの場所およびフェース１１０、１１１、１１２において行われることが予見される。第１の目的は、掘削装置が粉砕プラント１０４に向かって下流に搬送される前に、掘削エレメントの損失をオペレータが認識できるように、掘削装置の現場で掘削エレメント（例えば、歯またはシュラウド）の損失を監視することである。したがって、第１の検出点１１０は、掘削装置上にあって、より詳細には、ドリル／ブラストサイト１０１から牽引トラック１０３に鉱石１０２を装填するために使用される掘削バケット１０にある。第１の検出点は、放射線源から放出された放射線を常に検出する放射線検出器を含み、検出された放射線の段階的な減少は、少なくとも１つの掘削エレメントの損失を意味する。
【００６１】
シュラウドの喪失を検出する潜在的な失敗を軽減するために、鉱石荷を粉砕プラント１０４に運ぶ牽引トラック１０３は、ガントリ形態の検出ステーション１１１を通過し得る。放射線検出器がガントリの一部を形成し、鉱石荷に存在する任意のタグ付きシュラウドが放射線モニタ上のピークとして検出され、鉱石荷が転用され、タグ付きシュラウドが手動で配置および除去される。シュラウドの喪失に気付かず、続いてガントリ１１１で放射性供給源を検出することに失敗した化合物は、供給源がコンセントレータプラント１０５で消化される可能性がある。したがって、破砕とコンセントレータプラントとの間のコンベヤベルト上のさらなる検出または遮断ポイント１１２を使用して、完全に消失する前にその供給源を特定することができる。したがって、トータルソリューションは３階層の検出システムで構成され得るが、検出は１つまたは２つの場所でのみ発生し得ることも予見される。
【００６２】
タグ付けデバイスに使用される密封された放射性供給源は、多くの重要な操作上、製造上および物理的基準を満たさなければならない。第一に、放射性廃棄物の影響を軽減するために、放射性物質の半減期をグラウンド掘削エレメントの動作寿命よりも著しく長くしてはならない。同時に、グラウンド掘削エレメントが依然として使用されている間に供給源が弱くて検出が困難にならないように、半減期はグラウンド掘削エレメントの動作寿命よりも著しく短くならないようにすべきである。したがって、放射性供給源の半減期は、掘削エレメント本体の典型的な寿命に相当するように、好ましくは約８０〜１００日であるべきである。
【００６３】
また、放射性供給源が固体金属の形態であることが好ましい。この理由は、粉末および非金属では、溶接金属封止されたシール供給源に形成することができず、むしろ珪岩封止されなければならないからである。珪岩のカプセル化はこの特定の用途には望ましくなく、なぜなら、それは機械的ストレス下で粉砕しやすくなり、それによって放射線汚染の可能性および重要性が増大するからである。
【００６４】
さらなる要件は、放射性供給源が化学的に同一生成物または類似生成物ではありえないということで、これは、特定の用途において採掘され、発見された鉱石に対し化学的に異なる挙動を示さなければならないという意味である。例えば、貴金属が存在する鉱山において貴金属である放射性供給源を使用することはできない。なぜなら、放射性供給源の核種が最終生成物になる危険があるからで、これは明らかに望ましくない。
【００６５】
実用的な観点から、放射性供給源の活性化も実現可能でなければならない。活性化期間の短い放射性供給源は、望ましくない核種が増殖する範囲を減少させるので好ましい。例えば、長期的な処分の問題を生み出す供給源の崩壊プロファイルを妨害する長寿命の同位体、または、シールド要件を増加させる非常に高いガンマエネルギーを有する同位体を含むべきではないという意味で、同位体の広がりも好ましいものでなければならない。この用途の目的のためには、崩壊プロファイルが単純であるほど良い。この用途の目的のために、本質的に単一同位体的を生じ、中性子または陽子の捕獲によって単一の放射性同位体に増殖され得る播種元素、または全ての放射活性副生成物が短命（半減期＜１日）である元素が好ましい。
【００６６】
最後に、操作上の要求（例えば、グラウンド係合エレメントが鉱石の重要層の下に位置しているという事実）のために、放射源は、エネルギースペクトルのより高い端部における電離放射線を示さなければならず、すなわち、ハードガンマ線が必須となる。少なくとも８００ＫｅＶのハードガンマ線が必要になると予想されるが、理想的にはこれ以上のガンマ線が必要である。上限は約１５００ＫｅＶと予想される。
【００６７】
上記の基準内で適切な構成を見つけるためには、膨大な数の多様な基準が満たされなければならないことは容易に明らかである。これらには、上述した放射線学、製造および運用の基準が含まれており、提案された解決策は、明らかな放射性供給源の選択にすぎず、ルーチンの実験を遥かに越えた、鉱業や冶金工学、機械工学、核化学にまたがる多分野のアプローチが必要である。これまでの共通の前提は、満たすべき多様な基準の数の結果として、放射線源の使用が単に実現可能ではないということであったので、複雑な一連の基準は、伝統的に、このアプリケーションで想定されている特定の用途に放射性物質の使用を設計者に考慮させないものであった。
【００６８】
好ましい実施形態では、とりわけ半減期、ガンマ線エネルギー、および生産の簡便さに関して所望の特性を有する金属元素スカンジウムの放射性同位元素である中でスカンジウム４６（４６Ｓｃ）が放射性供給源として使用される。
【００６９】
スカンジウムは希土類およびウラン化合物の堆積物の大部分に存在するが、世界中のわずかの鉱山でのみこれらの鉱石から抽出される。入手可能性が低く、金属スカンジウムの調製が困難であったため、スカンジウムの用途が開発されるまでには１９７０年代までかかった。アルミニウム合金に対するスカンジウムの肯定的な効果は１９７０年代に発見され、このような合金での使用がスカンジウムの主要な用途の１つにとどまっている。さらに、スカンジウムは、高輝度照明の製造において少量でも使用される。純金属の世界貿易は年間約５０キログラムであるため、スカンジウムは共通の元素ではなく、実際には貿易や産業において非常に限定された元素であることが明らかである。同じことが、スカンジウムの最も安定な放射性同位元素であるスカンジウム４６にも当てはまる。スカンジウム４６の特性は、放射性同位体が必要とされるほとんどの用途には不適当である。特に、比較的短い半減期が、例えば医学的使用、非医学的な照射製品、ゲージングシステム、非破壊試験アプリケーションおよび材料分析などの密封された放射性供給源用途での使用には一般的に不適切である。
【００７０】
放射性同位元素スカンジウム４６（４６Ｓｃ）は金属で、半減期が８４日で、白金族金属（ＰＧＭ）または他の貴金属と化学的に関連していない。さらに、中性子捕獲を介したスカンジウム４５（単一同位体的に自然に発生する）の活性化によってスカンジウム４６を生成することは容易であって、いくつかの他の潜在的同位体候補と比較して中性子束の僅かな部分しか必要としない。非常にクリーンなスペクトルを持つ同位体が１つしか生成されず、その結果、望ましくない活動が比較的少ない。ガンマ線はそれぞれ８９０および１１２１ＫｅＶであって、これらも上述した要件を満たす。
【００７１】
個々の密封された供給源ごとに約１〜５ミリキュリー（３.７〜１８.５×１０７Ｂｑ）のスカンジウム４６の活性が使用されることが想定される。
【００７２】
放射性同位体の半減期のみを考慮した場合に、多くの放射性同位体がこの用途に適しているようである。しかしながら、残りの要件が満たされていないため、それらのほとんどは実行可能な選択ではない可能性がある。例えば、いくつかの同位体は、現在の非現実的な生産ルートのために、掘削エレメントの放射性タグとしての使用には好ましくないかもしれない。
【００７３】
【表１】
2019512055.tif 000003
【００７４】
スカンジウム４６の代わりとして理想ではないが、最善として、Ｔａ１８２、Ｔｂ１６０、Ｚｒ９５、Ｓｂ１２４、Ｆｅ５９およびＹ９１であり、それぞれの関連する特性を以下の表２にまとめた。
【００７５】
【表２】
2019512055.tif 000004
【００７６】
本発明者は、グラウンド係合エレメントにタグを付けるための密封された放射性供給源の使用が、グラウンド移動／変位可能な機械の一部を形成するグラウンド係合エレメントの検出および監視の問題に対する新規で有用な解決策を提供すると考えている。放射性同位体としてのスカンジウム４６の使用は、この特定の用途の多様な要求をすべて満たす点で特に有益である。
【００７７】
密封された放射性供給源は信頼性が高く、容易に検出することができる。同時に、放射線のリスクは提案された選択基準のために非常に低く、核廃棄物に通常伴う問題も、選択された同位体の短い半減期によって否定さえるであろう。
【００７８】
上記は本発明の一実施形態に過ぎず、本発明の精神および／または範囲から逸脱することなく多くの変形が可能であることは理解されよう。
【符号の説明】
【００７９】
１０  掘削エレメント、掘削機バケット
１１  容器
１２  側壁
１３  後壁
１４  ベース
１６  刃先
２０  歯
３０  シュラウド
３１  上脚部
３２  下脚部
３３  ノーズ
４１  スリーブ／カートリッジ
４１．１  雌ねじ
５０  供給源
１００  採掘プロセス
１０１  ドリル／ブラストサイト
１０２  鉱石
１０３  牽引トラック
１０４  粉砕プラント
１０５  コンセントレータプラント
１１０  第１の検出点
１１１  検出ステーション
１１２  遮断ポイント
【図１】
2019512055.tif 000005
【図２】
2019512055.tif 000006
【図３】
2019512055.tif 000007
【国際調査報告】
2019512055.tif 000008
2019512055.tif 000009
2019512055.tif 000010